(57)【特許請求の範囲】
【請求項１】
支柱設置位置に、ロータリーパーカッションドリルで支柱より大径の孔を削孔する第１工程と、
前記支柱と前記孔の内周面との間の管状隙間に複数本の縦筋と複数本の縦筋に固定されたフープ筋とで構成される鉄筋を収容し、前記縦筋の下端部を孔の底部に打ち込む第２工程と、
前記支柱の下端部に該支柱を水平方向に貫通する横筋を固定した状態で、該支柱を前記鉄筋の内側に差し込み、支柱を自立状態で支持固定可能な固定手段で孔の底部から支柱を浮かした状態でセットする第３工程と、
前記孔内にコンクリートを流し込んで固めることにより支柱を設置する第４工程と、
前記支柱から前記固定手段を取り外す第５工程と、
からなることを特徴とするキャストイン・パーカッション方式によるソーラーパネル架台用支柱の設置方法。
【請求項２】
請求項１記載のキャストイン・パーカッション方式によるソーラーパネル架台用支柱の設置方法において、
前記支柱は、断面略コ字状又はＨ字状等の管状ではない鋼材であることを特徴とするキャストイン・パーカッション方式によるソーラーパネル架台用支柱の設置方法。
【請求項３】
請求項１又は２の記載のキャストイン・パーカッション方式によるソーラーパネル架台用支柱の設置方法において、
前記固定手段は、下部を開いた３本の支持脚の上部結束部に、支柱を空中に浮かせた垂直起立状態で自立支持固定可能な固定部を備えることを特徴とするキャストイン・パーカッション方式によるソーラーパネル架台用支柱の設置方法。
【請求項４】
請求項３記載のキャストイン・パーカッション方式によるソーラーパネル架台用支柱の設置方法において、
前記固定部は、上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とするキャストイン・パーカッション方式によるソーラーパネル架台用支柱の設置方法。
【請求項５】
請求項３又は４に記載のキャストイン・パーカッション方式によるソーラーパネル架台用支柱の設置方法において、
前記固定部における上部結束部には、水準器を備えることを特徴とするキャストイン・パーカッション方式によるソーラーパネル架台用支柱の設置方法。
【請求項６】
請求項３〜５のいずれか１項に記載のキャストイン・パーカッション方式によるソーラーパネル架台用支柱の設置方法において、
前記固定手段における３本の支持脚の内の１本に前記上部結束部が固定され、残りの２本が上部結束部を中心として回動自在に連結されることにより３本の支持脚の側面が互いに重なる状態に折り畳み可能に構成されていることを特徴とするキャストイン・パーカッション方式によるソーラーパネル架台用支柱の設置方法。
【発明の詳細な説明】
【技術分野】
【０００１】
本発明は、メガソーラー発電施設の設置において、広大な土地に多数のソーラーパネルを設置する際に、ソーラーパネル架台用支柱を地中に埋め込み設置するためのキャストイン・パーカッション方式によるソーラーパネル架台用支柱の設置方法に関する。
【背景技術】
【０００２】
従来、メガソーラー発電施設を設置する場合、先ず設置すべき広大な土地に、等間隔のもとに基礎コンクリートを打設するための縦孔を開け、この縦孔内にソーラーパネル架台用支柱の基部を差し込んだ状態でコンクリートを流し込んで固めることにより、コンクリート基礎に対し架台用支柱を立設固定し、この各架台用支柱上にソーラーパネル架台を設置するようにしている（例えば、特許文献１、２参照）。
【先行技術文献】
【特許文献】
【０００３】
【特許文献１】特開平０８−１７０７９０号公報
【特許文献２】特開２００７−１９３３１号公報
【発明の概要】
【発明が解決しようとする課題】
【０００４】
しかしながら、メガソーラー発電システム設置工事においては、最も合理的な施工方法は杭工事であるが、転石や岩が多くスムーズに行える敷地は少ないのが現状である。
【０００５】
本発明の解決しようとする課題は、転石や岩の存否にかかわらず、あらゆる地層の敷地にソーラーパネルを設置することができるキャストイン・パーカッション方式によるソーラーパネル架台用支柱の設置方法を提供することにある。
【課題を解決するための手段】
【０００６】
上記課題を解決するため請求項１記載のキャストイン・パーカッション方式によるソーラーパネル架台用支柱の設置方法は、支柱設置位置に、ロータリーパーカッションドリルで支柱より大径の孔を削孔する第１工程と、
前記支柱と前記孔の内周面との間の管状隙間に複数本の縦筋と複数本の縦筋に固定されたフープ筋とで構成される鉄筋を収容し、前記縦筋の下端部を孔の底部に打ち込む第２工程と、
前記支柱の下端部に該支柱を水平方向に貫通する横筋を固定した状態で、該支柱を前記鉄筋の内側に差し込み、支柱を自立状態で支持固定可能な固定手段で孔の底部から支柱を浮かした状態でセットする第３工程と、
前記孔内にコンクリートを流し込んで固めることにより支柱を設置する第４工程と、
前記支柱から前記固定手段を取り外す第５工程と、
からなることを特徴とする手段とした。
【０００７】
また、請求項２記載のキャストイン・パーカッション方式によるソーラーパネル架台用支柱の設置方法は、請求項１記載のキャストイン・パーカッション方式によるソーラーパネル架台用支柱の設置方法において、
前記支柱は、断面略コ字状又はＨ字状等の管状ではない鋼材であることを特徴とする手段とした。
【０００８】
また、請求３記載のキャストイン・パーカッション方式によるソーラーパネル架台用支柱の設置方法は、請求項１又は２の記載のキャストイン・パーカッション方式によるソーラーパネル架台用支柱の設置方法において、
前記固定手段は、下部を開いた３本の支持脚の上部結束部に、支柱を空中に浮かせた垂直起立状態で自立支持固定可能な固定部を備えることを特徴とする手段とした。
【０００９】
また、請求項４記載のキャストイン・パーカッション方式によるソーラーパネル架台用支柱の設置方法は、請求項３記載のキャストイン・パーカッション方式によるソーラーパネル架台用支柱の設置方法において、
前記固定部は、上部結束部の上下２箇所に備えられた平面視で略く字状支柱受け部と、前記上下両支柱受け部の中間位置において支柱を上下両支柱受け部へ向けて押し付けて挟持固定する固定部材と、を備えることを特徴とする手段とした。
【００１０】
また、請求項５記載のキャストイン・パーカッション方式によるソーラーパネル架台用支柱の設置方法は、請求項３又は４に記載のキャストイン・パーカッション方式によるソーラーパネル架台用支柱の設置方法において、
前記固定部における上部結束部には、水準器を備えることを特徴とする手段とした。
【００１１】
また、請求項６記載のキャストイン・パーカッション方式によるソーラーパネル架台用支柱の設置方法は、請求項３〜５のいずれか１項に記載のキャストイン・パーカッション方式によるソーラーパネル架台用支柱の設置方法において、
前記固定手段における３本の支持脚の内の１本に前記上部結束部が固定され、残りの２本が上部結束部を中心として回動自在に連結されることにより３本の支持脚の側面が互いに重なる状態に折り畳み可能に構成されていることを特徴とする手段とした。
【発明の効果】
【００１２】
請求項１記載のキャストイン・パーカッション方式によるソーラーパネル架台用支柱の設置方法では、上述のように、ロータリーパーカッションドリルで支柱設置用孔の削孔を行うようにしたことで、転石や岩の存否にかかわらず、あらゆる地層の敷地にソーラーパネルを設置することができるようになるという効果が得られる。
【００１３】
また、支柱と孔の内周面との間の管状隙間に複数本の縦筋と複数本の縦筋に固定されたフープ筋とで構成される鉄筋を収容し、縦筋の内側に支柱を差し込んだ状態で孔内にコンクリートを流し込んで固めることにより、孔の径が小さくても、支柱の横揺れに対するコンクリートの破壊を防止できるようになる。
これにより、コンクリートの量が少なくてすみ、材料コストの低減が可能になる。
また、縦筋の下端部を孔の底部に打ち込むことにより、鉄筋を孔の中央にバランスよくセットした状態でコンクリートを流し込むことができるようになる。
【００１４】
また、支柱の下端部に該支柱を水平方向に貫通する横筋を固定することにより、コンクリートからの引き抜き強度を高めることができるようになる。
また、支柱を空中に浮かせた垂直起立状態で自立支持固定可能な固定手段を用いることで、コンクリートが固まるまでの間コンクリート内において支柱を規定のレベル位置で垂直状態に立設維持させることができるようになる。
【００１５】
また、請求項２記載のキャストイン・パーカッション方式によるソーラーパネル架台用支柱の設置方法では、上述のように、支柱の断面形状を略コ字状又はＨ字状等の管状ではない形状とすることで、コンクリートからの引き抜き強度をさらに高めることができるようになる。
【００１６】
また、請求３記載のキャストイン・パーカッション方式によるソーラーパネル架台用支柱の設置方法では、固定手段は、下部を開いた３本の支持脚の上部結束部に、支柱を空中に浮かせた垂直起立状態で自立支持固定可能な固定部を備えることで、支柱の下端を孔の底部から浮かせた状態でコンクリート内に埋め込むことができ、これにより、地中の水分で支柱の下端から錆を発生させることを阻止することができるようになる。
【００１７】
また、請求項４記載のキャストイン・パーカッション方式によるソーラーパネル架台用支柱の設置方法では、上述のように、固定手段は、上下２箇所に備えられた支柱受け部と中間の固定部材との間に支柱を挟持固定するもので、前記支柱受け部の形状を平面視で略く字状とすることで、あらゆる断面形状の支柱を挟持固定することができるようになる。
【００１８】
また、請求項５記載のキャストイン・パーカッション方式によるソーラーパネル架台用支柱の設置方法では、上述のように、上部結束部には、水準器を備えることで、支柱を容易かつ正確に垂直起立状態にセットすることができるようになり、これにより、作業効率を高めることができるようになる。
【００１９】
また、請求項６記載のキャストイン・パーカッション方式によるソーラーパネル架台用支柱の設置方法では、上述のように、３本の支持脚の内の１本に上部結束部が固定され、残りの２本が上部結束部を中心として回動自在に連結されることにより３本の支持脚の側面が互いに重なる状態に折り畳み可能に構成されることで、コンパクトな状態での運搬や収納が可能になる。
【図面の簡単な説明】
【００２０】
【図１】実施例１のキャストイン・パーカッション方式によるソーラーパネル架台用支柱の設置方法で用いられる支柱自立用固定三脚を示す平面図である。
【図２】実施例１のキャストイン・パーカッション方式によるソーラーパネル架台用支柱の設置方法で用いられる支柱自立用固定三脚を示す正面図である。
【図３】実施例１のキャストイン・パーカッション方式によるソーラーパネル架台用支柱の設置方法で用いられる支柱自立用固定三脚を示す斜視図である。
【図４】支柱自立用固定三脚の折り畳み状態を示す平面図である。
【図５】支柱自立用固定三脚の折り畳み状態を示す正面図である。
【図６（ａ）】ソーラーパネル架台用支柱の設置方法を示す第１工程図である。
【図６（ｂ）】ソーラーパネル架台用支柱の設置方法を示す第２工程図である。
【図６（ｃ）】ソーラーパネル架台用支柱の設置方法を示す第３工程図である。
【図６（ｄ）】ソーラーパネル架台用支柱の設置方法を示す第４工程図である。
【図６（ｅ）】ソーラーパネル架台用支柱の設置方法を示す第５工程図である。
【図７】図６(ｃ)のＳ７―Ｓ７線における拡大横断面図である。
【発明を実施するための形態】
【００２１】
以下にこの発明の実施例を図面に基づいて説明する。
【実施例１】
【００２２】
実施例１のキャストイン・パーカッション方式によるソーラーパネル架台用支柱の設置方法を図１〜７に基づいて説明する。
まず、この実施例１の設置方法で用いられる支柱を自立状態で支持固定可能な支柱自立固定三脚（固定手段）１は、図１〜３に示すように、下部を開いた３本の支持脚１ａ、１ｂ、１ｃの上部結束部２に、支柱３を空中に浮かせた垂直起立状態で固定可能な固定部４を備える。
【００２３】
さらに詳述すると、前記上部結束部２は、上端結束部２１と中間結束部２２で構成され、３本の支持脚１ａ、１ｂ、１ｃの内、折り畳みの中心となる支持脚１ｂその上端が上端結束部２１に固定され、中間が横バー１１ｂを介して中間結束部２２に固定されている。
一方、支持脚１ｂの両側に位置する２本の支持脚１ａ、１ｃは、その上端が上端結束部２１に対し回動自在に連結され、中間が横バー１１ａ、１１ｃを介して中間結束部２２に対し回動自在に連結されることにより、図４、５に示すように、３本の支持脚１ａ、１ｂ、１ｃの側面が互いに重なる状態に折り畳み可能となっている。
【００２４】
図１〜３に戻り、前記固定部４は、上端結束部２１と中間結束部２２の上下２箇所に備えられた平面視で略く字状支柱受け部４１、４２と、上下両支柱受け部４１、４２の中間位置において支柱５を両支柱受け部４１、４２へ向けて押し付けて挟持固定する固定部材４３と、を備えている。
【００２５】
この固定部材４３は、先端に支柱３の中間部に係合するフック状係合部４３ａを有する締結ボルト４３ｂを、支持脚１ｂの横バー１１ｂと支持脚１ｂの上部との間を連結固定する状態に設けられた縦バー１２に形成された挿通孔に挿通し、締結ボルト４３ｂに締結ナッ４３ｃを螺合して、フック状係合部４３ａを略く字状支柱受け部４１、４２方向へ引き寄せることにより、略く字状支柱受け部４１、４２とフック状係合部４３ａとの間で支柱３を３点挟持した状態で固定するように構成されている。
【００２６】
また、上端結束部２１には、図１、４に示すように、支柱３の垂直起立状態で水平を示す水準器５を備えている。
【００２７】
次に、上記実施例１のソーラーパネル架台用支柱の設置方法を、図６の工程図を用いて説明する。
先ず、整地された地面に所定間隔の基に多数の支柱立て込み位置をマーキングし、図６(ａ) に示すように、マーキング位置にロータリーパーカッションドリルを用い、杭径０．２１６ｍ、深さ１．０ｍの縦孔６を開ける（第１工程）。
【００２８】
次に、図６(ｂ) に示すように、支柱３と縦孔６の内周面との間の管状隙間に４本の縦筋７１と、縦筋７１の外周を囲む状態で溶接固定されたフープ筋７２とで構成される鉄筋７（図７参照）を収容し、縦筋７１の下端部を縦孔６の底部６ａに打ち込む（第２工程）。
【００２９】
次に、図６(ｃ) に示すように、断面略コ字状の支柱３の下端部に該支柱３を水平方向に貫通する横筋８を固定した状態（図７参照）で、該支柱３を鉄筋７の内側に差し込み、支柱３を支柱自立用固定三脚１の固定部４で縦孔６の底部６ａから支柱３を浮かした状態でセットする（第３工程）。
【００３０】
次に、図６(ｄ) に示すように、縦孔６にコンクリート９を流し込んで固めることにより、コンクリート９に対し支柱３を垂直状態に立設固定する（第４工程）。
【００３１】
次に、図６(ｅ) に示すように、固定部４による支柱３の固定を解除して支柱自立用固定三脚１を取り外すことにより、支柱３の設置を完了する（第５工程）。
【００３２】
次に、この実施例１の効果を説明する。
【００３３】
この実施例１のキャストイン・パーカッション方式によるソーラーパネル架台用支柱の設置方法では、上述のように、ロータリーパーカッションドリルで支柱設置用縦孔６の削孔を行うようにしたことで、転石や岩の存否にかかわらず、あらゆる地層の敷地にソーラーパネルを設置することができるようになるという効果が得られる。
【００３４】
また、支柱３と縦孔６の内周面との間の管状隙間に４本の縦筋７１と縦筋７１に溶接固定されたフープ筋７２とで構成される鉄筋７を収容し、縦筋７の内側に支柱３を差し込んだ状態で縦孔６内にコンクリート９を流し込んで固めることにより、縦孔６の径が小さくても、支柱３の横揺れに対するコンクリート９の破壊を防止できるようになる。
これにより、コンクリートの量が少なくてすみ、材料コストの低減が可能になる。
また、縦筋の下端部を孔の底部に打ち込むことにより、鉄筋を孔の中央にバランスよくセットした状態でコンクリートを流し込むことができるようになる。
【００３５】
また、支柱３の下端部に該支柱３を水平方向に貫通する横筋８を固定することにより、コンクリート９からの支柱３の引き抜き強度を高めることができるようになる。
また、下部を開いた３本の支持脚１ａ、１ｂ、１ｃの上部結束部２に、支柱３を空中に浮かせた垂直起立状態で自立支持固定可能な固定部４を備えることで、コンクリート９が固まるまでの間コンクリート９内において支柱３を規定のレベル位置で垂直状態に立設維持させることができるようになる。
【００３６】
また、上述のように、支柱３の断面形状を略コ字状とすることで、横筋８によるコンクリートからの支柱３の引き抜き強度をさらに高めることができるようになる。
【００３７】
また、支柱自立固定三脚（固定手段）１は、下部を開いた３本の支持脚１ａ、１ｂ、１ｃの上部結束部２に、支柱３を空中に浮かせた垂直起立状態で自立支持固定可能な固定部４を備えることで、支柱の下端を縦孔６の底部６ａから浮かせた状態でコンクリート９内に埋め込むことができ、これにより、地中の水分で支柱３の下端から錆を発生させることを阻止することができるようになる。
【００３８】
また、上述のように、固定部４は、上下２箇所に備えられた上部結束部２と中間の固定部材４３との間に支柱３を挟持固定するもので、支柱受け部４１、４２の形状を平面視で略く字状とすることで、あらゆる断面形状の支柱を挟持固定することができるようになる。
【００３９】
また、上述のように、上部結束部２には、水準器５を備えることで、支柱３を容易かつ正確に垂直起立状態にセットすることができるようになり、これにより、作業効率を高めることができるようになる。
【００４０】
また、上述のように、３本の支持脚１ａ、１ｂ、１ｃの内の１本に上部結束部２が固定され、残りの２本が上部結束部２を中心として回動自在に連結されることにより３本の支持脚１ａ、１ｂ、１ｃの側面が互いに重なる状態に折り畳み可能に構成されることで、コンパクトな状態での運搬や収納が可能になる。
【００４１】
以上本実施例を説明してきたが、本発明は上述の実施例に限られるものではなく、本発明の要旨を逸脱しない範囲の設計変更等があっても、本発明に含まれる。
【００４２】
例えば、実施例１では、縦筋を４本、フープ筋を１本としたが、その本数は任意である。
また、フープ筋は縦筋の外側又は内側に溶接その他の手段で固定するようにしてもよい。
【００４３】
また、実施例１では、固定手段として三脚を用いた例を示したが、支柱を垂直状態で支持固定可能なものであればよい。
【００４４】
また、実施例１では、固定部４として、上端結束部２１と中間結束部２２の上下２箇所に備えられた平面視で略く字状支柱受け部４１、４２と、上下両支柱受け部４１、４２の中間位置において支柱３を両支柱受け部４１、４２へ向けて押し付けて挟持固定する固定部材４３と、を備えている構成としたが、支柱３を浮かせた状態で支持固定可能であればその構成は任意である。
【００４５】
また、実施例１では、上部結束部２に水準器５を備えたが、上部結束部２に水準器載置用水平基準面を設けておいてもよい。
【符号の説明】
【００４６】
１  支柱自立固定三脚（固定手段）
１ａ  支持脚
１ｂ  支持脚
１ｃ  支持脚
１１ａ  横バー
１１ｂ  横バー
１１ｃ  横バー
１２  縦バー
２  上部結束部
２１  上端結束部
２２  中間結束部
３  支柱
４  固定部
４１  略く字状支柱受け部
４２  略く字状支柱受け部
４３  固定部材
４３ａ  フック状係合部
４３ｂ  締結ボルト
４３ｃ  締結ナット
５  水準器
６  縦孔
６ａ  底部
７  鉄筋
７１  縦筋
７２  フープ筋
８  横筋
９  コンクリート
【要約】
【課題】  転石や岩の存否にかかわらず、あらゆる地層の敷地にソーラーパネルを設置することができるキャストイン・パーカッション方式によるソーラーパネル架台用支柱の設置方法の提供。
【解決手段】  ロータリーパーカッションドリルで支柱３より大径の縦孔６を削孔する第１工程と、支柱６と縦孔６の内周面との間の管状隙間に４本の縦筋７１と縦筋６に溶接固定されたフープ筋７２とで構成される鉄筋７を収容し、縦筋７１の下端部を縦孔６の底部６ａに打ち込む第２工程と、支柱６の下端部に該支柱６を水平方向に貫通する横筋８を固定した状態で、該支柱３を鉄筋７の内側に差し込み、支柱３を自立状態で支持固定可能な支柱自立固定三脚１で縦孔６の底部６ａから支柱３を浮かした状態でセットする第３工程と、縦孔６内にコンクリート９を流し込んで固めることにより支柱３を設置する第４工程と、支柱３から支柱自立固定三脚１を取り外す第５工程と、からなる。
【選択図】      図６(ｄ)【図１】
0005553947.tif 000002
【図２】
0005553947.tif 000003
【図３】
0005553947.tif 000004
【図４】
0005553947.tif 000005
【図５】
0005553947.tif 000006
【図６（ａ）】
0005553947.tif 000007
【図６（ｂ）】
0005553947.tif 000008
【図６（ｃ）】
0005553947.tif 000009
【図６（ｄ）】
0005553947.tif 000010
【図６（ｅ）】
0005553947.tif 000011
【図７】
0005553947.tif 000012